(57)【要約】【課題】容易に製造され、切り傷が生じにくい、フルオープンタイプの缶２の提供。【解決手段】この缶２は、フルオープンタイプである。この缶２は、筒状の胴４と、この胴４の天を塞ぐ天蓋６と、保護片８とを備える。上記天蓋６は、ディスク１４と、このディスク１４の外側に位置しており胴４に取り付けられるリム１６と、このディスク１４とリム１６との境界に位置する裂開線１８と、この裂開線１８を裂開するためのプルタブ２０とを有する。上記保護片８は、基部３０と、この基部３０の周縁において基部３０から垂下するリング３２とを備える。この基部３０は、このプルタブ２０が通過しうる開口３６を備える。開封時及び開封後において、上記リング３２はディスク１４の切り口をカバーするように構成されている。好ましくは、上記リング３２は、上記胴４の上端近傍に係止されることによって、この胴４に取り付けられるように構成されている。【選択図】図３
2009208845.tif 000002
【特許請求の範囲】
【請求項１】
筒状の胴と、この胴の天を塞ぐ天蓋と、保護片とを備えており、
上記天蓋が、ディスクと、このディスクの外側に位置しており胴に取り付けられるリムと、このディスクとリムとの境界に位置する裂開線と、この裂開線を裂開するためのプルタブとを有しており、
上記保護片が、基部と、この基部の周縁において基部から垂下するリングとを備えており、
この基部が、このプルタブが通過しうる開口を備えており、
開封時及び開封後において、上記リングがディスクの切り口をカバーするように構成されたフルオープンタイプの缶。
【請求項２】
上記基部が、上記ディスクに沿って延在しており、
開封前において、この基部が湾曲することで上記リングの下端が上記天蓋に当接しており、
開封時及び開封後において、この基部の復元によってこのリングがこのディスクの切り口をカバーするように構成された請求項１に記載の缶。
【請求項３】
上記リングが、上記胴の上端近傍に係止されることによって、この胴に取り付けられるように構成された請求項１に記載の缶。
【発明の詳細な説明】
【技術分野】
【０００１】
本発明は、食品、玩具、衣類、スポーツ用品等の缶詰に用いられる缶に関する。詳細には、本発明は、フルオープンタイプの缶に関する。
【背景技術】
【０００２】
缶詰に、フルオープンタイプの缶が用いられている。この缶は、胴と天蓋とを備えている。天蓋には、裂開線が形成されている。天蓋はさらに、プルタブを備えている。プルタブが引かれることで裂開線が裂開し、缶が開封される。開封後は、天蓋はディスクとリムとに分離される。
【０００３】
リムから分離されたディスクの外周は、切り口である。この切り口が鋭利であると、缶の使用者が手に切り傷を負うことがある。この切り傷を防止する目的で、ディスクに折り曲げ部が形成された缶が提案されている（特開平９−３９９６３号公報）。この缶では、折り曲げ部がディスクの切り口よりも外側に位置する。この折り曲げ部は、使用者の手と切り口との接触を阻止する。
【特許文献１】特開平９−３９９６３号公報
【発明の開示】
【発明が解決しようとする課題】
【０００４】
折り曲げ部の形成には、金属の絞り加工又は曲げ加工が必要である。この加工は、手間である。本発明の目的は、容易に製造され、かつ切り傷が生じにくい、フルオープンタイプの缶の提供にある。
【課題を解決するための手段】
【０００５】
本発明に係る缶は、フルオープンタイプである。この缶は、筒状の胴と、この胴の天を塞ぐ天蓋と、保護片とを備えている。上記天蓋は、ディスクと、このディスクの外側に位置しており胴に取り付けられるリムと、このディスクとリムとの境界に位置する裂開線と、この裂開線を裂開するためのプルタブとを有している。上記保護片は、基部と、この基部の周縁において基部から垂下するリングとを備えている。この基部は、このプルタブが通過しうる開口を備えている。開封時及び開封後において、上記リングはディスクの切り口をカバーするように構成されている。
【０００６】
好ましくは、この缶では、上記基部は、上記ディスクに沿って延在している。開封前において、この基部が湾曲することで上記リングの下端が上記天蓋に当接している。開封時及び開封後において、この基部の復元によってこのリングがこのディスクの切り口をカバーするように構成されている。
【０００７】
好ましくは、この缶では、上記リングは、上記胴の上端近傍に係止されることによって、この胴に取り付けられるように構成されている。
【発明の効果】
【０００８】
本発明に係る缶では、開封時及び開封後において、保護片のリングがディスクの切り口をカバーするから、この切り口と手との接触が抑制される。保護片は、切り傷を防止する。
【発明を実施するための最良の形態】
【０００９】
以下、適宜図面が参照されつつ、好ましい実施形態に基づいて本発明が詳細に説明される。
【００１０】
図１は、本発明の一実施形態に係る缶２が示された正面図である。図２は、図１に示された缶２の平面図である。図３は、図２のIII−III線に沿った拡大断面図である。図３（ａ）には、缶２の上側部分が示されている。図３（ｂ）には、缶２の下側部分が示されている。この缶２は、胴４、天蓋６、保護片８、底蓋１０及び補助片１２を備えている。
【００１１】
胴４は、筒状である。胴４は、スチール又はアルミニウム合金からなる。胴４の内部は空間であり、この空間に食品等が収容される。胴４の上端近傍及び下端近傍には、曲げ加工が施されている。
【００１２】
天蓋６は、スチール又はアルミニウム合金からなる。天蓋６は、ディスク１４、リム１６、裂開線１８及びプルタブ２０を有している。この実施形態では、ディスク１４の輪郭は円である。ディスク１４の輪郭が矩形であってもよい。ディスク１４は、リベット２２を備えている。リベット２２は、曲げ加工により形成されている。
【００１３】
リム１６は、ディスク１４の外側に位置している。リム１６の外端近傍には、曲げ加工が施されている。リム１６の曲げ加工及び胴４の曲げ加工により、リム１６の外端近傍に胴４の上端近傍が巻き込まれ、上縁輪２４が形成されている。この上縁輪２４により、天蓋６が胴４に気密に取り付けられている。この缶２では、天蓋６が胴４の天を塞いでいる。
【００１４】
裂開線１８は、ディスク１４とリム１６との境界に位置する。裂開線１８は、いわゆる切れ目である。この実施形態では、裂開線１８の平面形状は円である。裂開線１８の平面形状が矩形であってもよい。
【００１５】
プルタブ２０は、リベット２２のカシメによってディスク１４に取り付けられている。プルタブ２０は、指掛け環２６を備えている。プルタブ２０はさらに、先端部２８を備えている。
【００１６】
保護片８は、合成樹脂からなる。この保護片８は、基部３０とリング３２とを備えている。基部３０は略板状であり、天蓋６の上面に沿って延在している。基部３０は、その中央近傍において、ディスク１４に接着部材３４で固定されている。接着部材３４としては、両面テープ、接着剤等が例示される。基部３０は、開口３６を備えている。図２に示されているように、この開口３６の内側に上記プルタブ２０が位置している。この開口３６の縁は、このプルタブ２０の外縁の外側に位置している。プルタブ２０は、この開口３６を通過しうる。この開口３６の位置は、天蓋６に設けられるプルタブ２０の位置が考慮されて適宜決められる。
【００１７】
リング３２は、基部３０と一体的に成形されている。リング３２は、基部３０の周縁において基部３０から垂下している。リング３２は、半径方向において、裂開線１８よりも外側に位置している。換言すれば、保護片８の外縁は、ディスク１４の外縁よりも外側に位置している。リング３２は、爪３８を備えている。この爪３８は、リング３２の内面から内向きに突出している。図３（ａ）に示されているように、この爪３８はリング３２の下側に設けられている。
【００１８】
この缶２では、保護片８は、その開口３６の内側にプルタブ２０が位置するように、胴４の上端部分に嵌め合わされる。図３（ａ）に示されているように、保護片８を構成するリング３２の爪３８は上縁輪２４よりも下側に位置する。保護片８が胴４に対して上方に動かされてもこの爪３８が上縁輪２４に接触するから、リング３２が胴４の上端近傍に係止される。この爪３８は、保護片８の脱落防止に寄与しうる。この缶２では、このリング３２の係止により、保護片８が胴４に取り付けられている。
【００１９】
底蓋１０は、スチール又はアルミニウム合金からなる。底蓋１０の外端近傍には、曲げ加工が施されている。底蓋１０の曲げ加工及び胴４の曲げ加工により、底蓋１０の外端近傍に胴４の下端近傍が巻き込まれ、下縁輪４０が形成されている。この下縁輪４０により、底蓋１０が胴４に気密に取り付けられている。この缶２では、底蓋１０が胴４の底を塞いでいる。
【００２０】
補助片１２は、合成樹脂からなる。この補助片１２は、基部４２とリング４４とを備えている。基部４２は略板状であり、底蓋１０の下面に沿って延在している。この基部４２には、上記保護片８の基部３０のように開口は設けられていない。
【００２１】
リング４４は、基部４２と一体的に成形されている。リング４４は、基部４２の周縁において基部４２から上方に延在している。リング４４は、下縁輪４０の外側に位置している。リング４４は、爪４６を備えている。この爪４６は、リング４４の内面から内向きに突出している。図３（ｂ）に示されているように、この爪４６はリング４４の上側に設けられている。
【００２２】
この缶２を開封するとき、使用者は、指掛け環２６に指を通してプルタブ２０を起こす。これにより、先端部２８が裂開線１８を押す。先端部２８の近傍において、裂開線１８が裂開する。使用者はさらに、プルタブ２０を上方に引く。これにより、裂開が裂開線１８の全体に伝播し、リム１６とディスク１４とが完全に分離される。この缶２は、フルオープンタイプである。
【００２３】
この缶２では、開封時、保護片８はディスク１４とともに持ち上げられる。保護片８は合成樹脂からなるので、容易に変形する。この変形は、保護片８の胴４からの取り外しを阻害しない。この缶２では、プルタブ２０を引いて容易に開封されるうるという観点から、この保護片８は胴４に対して抜けやすくされているのが好ましい。
【００２４】
図４は、図１の缶２の開封後のディスク１４及び保護片８が示された断面図である。図４には、指４８も示されている。裂開線１８の裂開により、ディスク１４には切り口５０が形成される。切り口５０は、鋭利である。保護片８の外縁５２は、半径方向において、切り口５０よりも外側に位置する。この保護片８のリング３２は、切り口５０をカバーする。図４に示されるように、指４８はこの切り口５０ではなくこの外縁５２と接触する。この保護片８は合成樹脂からなるので、外縁５２と指４８とが接触しても切り傷は生じない。この保護片８は、開封時及び開封後において、指４８と切り口５０との接触を阻止しうる。この保護片８は、切り口５０による切り傷を防止する。保護片８とディスク１４とは接着部材３４で接合されているから、ディスク１４が保護片８に収容された状態が維持されうる。この缶２では、保護片８及びディスク１４が分離されない限り、利用者が切り口５０と接触して手を切ることはない。
【００２５】
この缶２では、保護片８とディスク１４とは両面テープのような接着部材３４で接合されているから、これらの分離は容易である。この缶２は、ゴミの分別回収に寄与しうる。なお、安全性の観点から、この分離は廃棄の直前で実施されるのが好ましい。
【００２６】
図３（ｂ）に示されているように、この缶２では、補助片１２の爪４６は下縁輪４０よりも上側に位置する。補助片１２が胴４に対して下方に動かされると、この爪４６が下縁輪４０に接触する。この接触は、補助片１２の脱落防止に寄与しうる。
【００２７】
補助片１２は、合成樹脂からなるので、容易に変形する。この缶２では、この補助片１２を変形させつつ、胴４に対して下方に動かすことにより、この補助片１２は胴４から取り外されうる。
【００２８】
補助片１２には保護片８のように開口が設けられていないから、開封された缶２を密閉するためにこの補助片１２を利用することができる。この場合、上記保護片８をこの補助片１２に置き換えて、この缶２は使用される。粉ミルクなどのような粉末が胴４内に充填された場合においては、この補助片１２により粉末の品質が適切に維持されうる。開封された缶２の密閉性確保の観点から、この補助片１２は胴４に対して抜けにくくされているのが好ましい。
【００２９】
図５は、本発明の他の実施形態に係る缶５４が示された平面図である。図６は、図５のVI−VI線に沿った拡大断面図である。この図６には、缶５４の一部が示されている。この缶５４は、胴５６、天蓋５８及び保護片６０を備えている。
【００３０】
胴５６は、筒状である。胴５６は、スチール又はアルミニウム合金からなる。胴５６の内部は空間であり、この空間に食品等が収容される。胴５６の上端近傍には、曲げ加工が施されている。胴５６の底には、底蓋（図示されず）が取り付けられている。通常は、底蓋は胴５６に気密に取り付けられる。
【００３１】
天蓋５８は、スチール又はアルミニウム合金からなる。天蓋５８は、ディスク６２、リム６４、裂開線６６及びプルタブ６８を有している。この実施形態では、ディスク６２の輪郭は円である。このディスク６２は、リベット７０を備えている。
【００３２】
リム６４は、ディスク６２の外側に位置している。リム６４の外端近傍には、曲げ加工が施されている。リム６４の曲げ加工及び胴５６の曲げ加工により、リム６４の外端近傍に胴５６の上端近傍が巻き込まれ、縁輪７２が形成されている。この縁輪７２により、天蓋５８が胴５６に気密に取り付けられている。
【００３３】
裂開線６６は、ディスク６２とリム６４との境界に位置する。裂開線６６は、いわゆる切れ目である。この実施形態では、裂開線６６の平面形状は円である。
【００３４】
プルタブ６８は、リベット７０のカシメによってディスク６２に取り付けられている。プルタブ６８は、指掛け環７４を備えている。プルタブ６８はさらに、先端部７６を備えている。
【００３５】
保護片６０は、合成樹脂、紙又は金属からなる。この保護片６０は、基部７８とリング８０とを備えている。基部７８は板状であり、ディスク６２に沿って延在している。基部７８は、その中央近傍において、ディスク６２の外面に固定されている。リング８０は、基部７８と一体的に成形されている。この基部７８は、プルタブ６８が通過しうる開口８１を備えている。リング８０は、基部７８の周縁において基部７８から垂下している。リング８０は、半径方向において、裂開線６６よりも外側に位置している。換言すれば、保護片６０の外縁は、ディスク６２の外縁よりも外側に位置している。図６では、リング８０の下端が天蓋５８と当接している。この当接により、基部７８の周縁近傍が上方に湾曲している。基部７８は、弾性変形している。
【００３６】
図７は、図５の缶５４の開封後のディスク６２及び保護片６０が示された断面図である。図７には、指４８も示されている。裂開線６６の裂開により、ディスク６２には切り口８２が形成される。切り口８２は、鋭利である。開封前には弾性変形していた基部７８が、開封によって復元する。この復元によりリング８０が下方に移動し、切り口８２を覆う。この缶では、開封時及び開封後に切り口８２が露出しない。図７に示されるように、指４８はリング８０と接触する。リング８０との接触により、指４８と切り口８２との接触が阻止される。保護片６０は、開封時及び開封後において、切り口８２による切り傷を防止する。
【産業上の利用可能性】
【００３７】
本発明に係る缶は、種々の内容物の缶詰に用いられうる。
【図面の簡単な説明】
【００３８】
【図１】図１は、本発明の一実施形態に係る缶が示された正面図である。
【図２】図２は、図１に示された缶の平面図である。
【図３】図３は、図２のIII−III線に沿った拡大断面図である。
【図４】図４は、図１の缶の開封後のディスク及び保護片が示された断面図である。
【図５】図５は、本発明の他の実施形態に係る缶が示された正面図である。
【図６】図６は、図５のVI−VI線に沿った拡大断面図である。
【図７】図７は、図５の缶の開封後のディスク及び保護片が示された断面図である。
【符号の説明】
【００３９】
２、５４・・・缶
４、５６・・・胴
６、５８・・・天蓋
８、６０・・・保護片
１０・・・底蓋
１２・・・補助片
１４、６２・・・ディスク
１６、６４・・・リム
１８、６６・・・裂開線
２０、６８・・・プルタブ
２２、７０・・・リベット
２４・・・上縁輪
２６、７４・・・指掛け環
２８、７６・・・先端部
３０、４２、７８・・・基部
３２、４４、８０・・・リング
３４・・・接着部材
３６、８１・・・開口
３８、４６・・・爪
４０・・・下縁輪
４８・・・指
５０、８２・・・切り口
５２・・・外縁
７２・・・縁輪
【図１】
2009208845.tif 000003
【図２】
2009208845.tif 000004
【図３】
2009208845.tif 000005
【図４】
2009208845.tif 000006
【図５】
2009208845.tif 000007
【図６】
2009208845.tif 000008
【図７】
2009208845.tif 000009